【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
２mm又はそれ以下の直径を有する眼内レンズ挿入用円筒から挿入するのに適したポリマーからなる眼内レンズ用材料であって、該ポリマーは、約１００〜４００psiの引張強さ及び５０〜４００％の破断時伸びを有する眼内レンズ用材料。
【請求項２】
該ポリマーはアクリル−シリコーンハイブリッドである請求項１に記載の眼内レンズ用材料。
【請求項３】
該アクリル−シリコーンハイブリッドは３５７３又はＷ２８−１４Ｓである請求項１に記載の眼内レンズ用材料。
【請求項４】
該眼内レンズ材料は、更に、ＵＶ吸収剤、青色光ブロッカー、潤滑性表面被覆剤、抗血栓性組成物及び細胞増殖作動剤又は拮抗剤からなる群から選択されるポリマー添加剤を含む請求項１に記載の眼内レンズ用材料。
【請求項５】
２mm又はそれ以下の直径を有する眼内レンズ挿入用円筒から挿入するのに適した請求項１に記載の眼内レンズ用材料から製造された眼内レンズ。
【請求項６】
約３０〜４０質量％のフェノキシエチルアクリレート（ＰＥＡ）、
約１５〜２５質量％のフェニルエーテルメタクリレート（ＰＥＭＡ）、
約２５〜３５質量％のエチルアクリレート（ＥＡ）、
約５〜１５質量％のメチルメタクリレート（ＭＭＡ）、
約０．５〜１．０質量％の架橋剤、及び
約２〜７質量％のビニル官能化シリコーンモノマー
を含んでなり、２mm又はそれ以下の直径を有する眼内レンズ挿入用円筒から挿入するのに適した眼内レンズ用材料。
【請求項７】
該架橋剤は1,4-ブタンジオールジビニルエーテル（ＢＤＤＶＥ）である請求項６に記載の眼内レンズ用材料。
【請求項８】
該ビニル官能化シリコーンモノマーはジビニルシリコーン又はヘキサビニルシリコーンである請求項６に記載の眼内レンズ用材料。
【請求項９】
該ヘキサビニルシリコーンはＨＶＳ１０１８０２である請求項８に記載の眼内レンズ用材料。
【請求項１０】
該眼内レンズ材料は、更に、ＵＶ吸収剤、青色光ブロッカー、潤滑性表面被覆剤、抗血栓性組成物及び細胞増殖作動剤又は拮抗剤からなる群から選択されるポリマー添加剤を含む請求項６に記載の眼内レンズ用材料。
【請求項１１】
２mm又はそれ以下の直径を有する眼内レンズ挿入用円筒から挿入するのに適した請求項６に記載の眼内レンズ用材料から製造された眼内レンズ。
【請求項１２】
約４４〜５５質量％のフェノキシエチルアクリレート（ＰＥＡ）、
約１５〜２５質量％のエチルアクリレート（ＥＡ）、
約１５〜２５質量％のエチルメタクリレート（ＥＭＡ）、
約５〜１５質量％のメチルメタクリレート（ＭＭＡ）、
約０．２〜１．４質量％の少なくとも１種の架橋剤、及び
約５〜１５質量％のビニル官能化シリコーンモノマー
を含んでなり、２mm又はそれ以下の直径を有する眼内レンズ挿入用円筒から挿入するのに適した眼内レンズ用材料。
【請求項１３】
該架橋剤はエチレングリコールジメタクリレート（ＥＧＤＭＡ）、テトラエチレングリコールジメタクリレート（ＴＥＧＤＭＡ）及びこれらの組み合わせからなる群から選択される請求項１２に記載の眼内レンズ用材料。
【請求項１４】
２mm又はそれ以下の直径を有する眼内レンズ挿入用円筒から挿入するのに適した請求項１２に記載の眼内レンズ用材料から製造された眼内レンズ。
【請求項１５】
該ビニル官能化シリコーンモノマーはジビニルシリコーン又はヘキサビニルシリコーンである請求項１２に記載の眼内レンズ用材料。
【請求項１６】
該眼内レンズ材料は、更に、ＵＶ吸収剤、青色光ブロッカー、潤滑性表面被覆剤、抗血栓性組成物及び細胞増殖作動剤又は拮抗剤からなる群から選択されるポリマー添加剤を含む請求項１２に記載の眼内レンズ用材料。
【請求項１７】
約３４．２質量％のフェノキシエチルアクリレート（ＰＥＡ）、
約１９．５質量％のフェニルエーテルメタクリレート（ＰＥＭＡ）、
約２９．３質量％のエチルアクリレート（ＥＡ）、
約９．８質量％のメチルメタクリレート（ＭＭＡ）、
約０．５質量％の架橋剤、及び
約４．８質量％のビニル官能化シリコーンモノマー
を含んでなり、２mm又はそれ以下の直径を有する眼内レンズ挿入用円筒から挿入するのに適した眼内レンズ用材料。
【請求項１８】
該架橋剤はＢＤＤＶＥである請求項１７に記載の眼内レンズ用材料。
【請求項１９】
該ビニル官能化シリコーンモノマーはＨＶＳ１０１８０２である請求項１７に記載の眼内レンズ用材料。
【請求項２０】
該ビニル官能化シリコーンモノマーはジビニルシリコーン又はヘキサビニルシリコーンである請求項１７に記載の眼内レンズ用材料。
【請求項２１】
該眼内レンズ材料は、更に、ＵＶ吸収剤、青色光ブロッカー、潤滑性表面被覆剤、抗血栓性組成物及び細胞増殖作動剤又は拮抗剤からなる群から選択されるポリマー添加剤を含む請求項１７に記載の眼内レンズ用材料。
【請求項２２】
約４９質量％のフェノキシエチルアクリレート（ＰＥＡ）、
約１９質量％のエチルアクリレート（ＥＡ）、
約２１質量％のエチルメタクリレート（ＥＭＡ）、
約５〜１５質量％のメチルメタクリレート（ＭＭＡ）、
約０．７質量％の少なくとも１種の架橋剤、及び
約９質量％のビニル官能化シリコーンモノマー
を含んでなり、２mm又はそれ以下の直径を有する眼内レンズ挿入用円筒から挿入するのに適した眼内レンズ用材料。
【請求項２３】
該架橋剤はＥＧＤＭＡ、ＴＥＧＤＭＡ及びこれらの組み合わせからなる群から選択される請求項２２に記載の眼内レンズ用材料。
【請求項２４】
該架橋剤は０．４質量％のＥＧＤＭＡ及び０．３質量％のＴＥＧＤＭＡからなる請求項２３に記載の眼内レンズ用材料。
【請求項２５】
該ビニル官能化シリコーンモノマーはジビニルシリコーン又はヘキサビニルシリコーンである請求項２２に記載の眼内レンズ用材料。
【請求項２６】
該眼内レンズ材料は、更に、ＵＶ吸収剤、青色光ブロッカー、潤滑性表面被覆剤、抗血栓性組成物及び細胞増殖作動剤又は拮抗剤からなる群から選択されるポリマー添加剤を含む請求項２２に記載の眼内レンズ用材料。
【請求項２７】
約３４．２質量％のフェノキシエチルアクリレート（ＰＥＡ）、
約１９．５質量％のフェニルエーテルメタクリレート（ＰＥＭＡ）、
約２９．３質量％のエチルアクリレート（ＥＡ）、
約９．８質量％のメチルメタクリレート（ＭＭＡ）、
約０．５質量％の1,4-ブタンジオールジビニルエーテル（ＢＤＤＶＥ）、
約４．８質量％のＨＶＳ１０１８０２
を含んでなり、２mm又はそれ以下の直径を有する眼内レンズ挿入用円筒から挿入するのに適した眼内レンズ用材料。
【請求項２８】
該眼内レンズ材料は、更に、ＵＶ吸収剤、青色光ブロッカー、潤滑性表面被覆剤、抗血栓性組成物及び細胞増殖作動剤又は拮抗剤からなる群から選択されるポリマー添加剤を含む請求項２７に記載の眼内レンズ用材料。
【請求項２９】
約４９質量％のフェノキシエチルアクリレート（ＰＥＡ）、
約１９質量％のエチルアクリレート（ＥＡ）、
約２１質量％のエチルメタクリレート（ＥＭＡ）、
約５〜１５質量％のメチルメタクリレート（ＭＭＡ）、
約０．４質量％のエチレングリコールジメタクリレート（ＥＧＤＭＡ）、
約０．３質量％のテトラエチレングリコールジメタクリレート（ＴＥＧＤＭＡ）
約０．７質量％の少なくとも１種の架橋剤、及び
約９質量％のビニル官能化シリコーンモノマー
を含んでなり、２mm又はそれ以下の直径を有する眼内レンズ挿入用円筒から挿入するのに適した眼内レンズ用材料。
【請求項３０】
該ビニル官能化シリコーンモノマーはジビニルシリコーン又はヘキサビニルシリコーンである請求項２９に記載の眼内レンズ用材料。
【請求項３１】
該眼内レンズ材料は、更に、ＵＶ吸収剤、青色光ブロッカー、潤滑性表面被覆剤、抗血栓性組成物及び細胞増殖作動剤又は拮抗剤からなる群から選択されるポリマー添加剤を含む請求項２９に記載の眼内レンズ用材料。